(57)【特許請求の範囲】
【請求項１】
スライド構造体から固定構造体にワイヤハーネスを水平方向揺動自在に配索したスライド構造体用のハーネス配索構造において、
前記スライド構造体側に設けた水平なガイドレールにスライダが係合し、該スライダに前記ワイヤハーネスよりも硬質な首振り部材が水平方向首振り自在に設けられ、前記ワイヤハーネスが該スライダから該首振り部材の水平なハーネス挿通孔を経て前記固定構造体側に配索され、該首振り部材又は該スライダにばね部材が設けられ、該首振り部材に設けられた該ばね部材は該スライダの壁部に当接し、該スライダに設けられた該ばね部材は該首振り部材の外側面に当接し、
該スライド構造体の全閉時に該ワイヤハーネスが該首振り部材を介して該ばね部材のばね力で該固定構造体に向けて付勢され、該付勢によって該スライド構造体の開き初期時に該ワイヤハーネスに曲げ力が付与されることを特徴とするスライド構造体用のハーネス配索構造。
【請求項２】
前記ばね部材が、鋭角的に開いた一対の板部を中間の屈曲部で連結して構成され、該屈曲部が前記首振り部材の回動中心側に向けて配置されたことを特徴とする請求項１記載のスライド構造体用のハーネス配索構造。
【請求項３】
前記固定構造体側で前記ワイヤハーネスがハーネス固定具で支持され、該ハーネス固定具が前記スライド構造体の閉じ方向に対して斜め外向きに配置されたことを特徴とする請求項１又は２記載のスライド構造体用のハーネス配索構造。
【請求項４】
前記スライド構造体の全閉時に該スライド構造体側で前記ワイヤハーネスが横長のハーネスガイド部材に沿って水平に支持されることを特徴とする請求項１〜３の何れかに記載のハーネス配索構造。
【発明の詳細な説明】
【技術分野】
【０００１】
本発明は、例えば自動車のスライドドアといったスライド構造体に常時給電を行うべく車両ボディである固定構造体からワイヤハーネスを配索したスライド構造体用のハーネス配索構造に関するものである。
【背景技術】
【０００２】
図１２〜図１３は従来のスライド構造体用のハーネス配索構造を備えた給電装置の一形態を示すものである（特許文献１参照）。
【０００３】
この給電装置６１は、自動車のスライドドア６２に設けられた横長のケース６３と、ケース６３のガイドレール（図示せず）にスライド自在に係合したスライダ６４と、スライダ６４に垂直な軸部で水平方向に揺動自在に支持された首振り部材６５（図１３）と、ケース６３の内側に略Ｕ字状に屈曲して配索され、首振り部材６５から車両ボディ（図示せず）にかけて屈曲自在に配索されたキャタピラ状のハーネス外装部材６６とを備えるものである。
【０００４】
スライドドア６２と車両ボディとの間（渡り部）において外装部材６６はチューブ６７で覆われている。外装部材６６とスライダ６４の内側に複数本の電線（ワイヤハーネス）６８（図１３）が挿通されている。キャタピラ状の外装部材６６は合成樹脂製の複数の駒部材を両側の軸部６６ａで相互に連結して例えば垂直方向又は水平方向というように１８０゜方向のみにワイヤハーネス６８を屈曲自在としたものである。
【０００５】
図１２の状態からスライドドア６２を矢印Ａ方向（車両後方）に開くことで、スライダ６４がケース６３に沿って前方に相対移動しつつ、ワイヤハーネス６８が外装部材６６と共にガイド部材６３内で略Ｊ字状に伸長する。スライドドア６２の開閉に伴ってワイヤハーネス６８が外装部材６６と共に伸縮することで、ハーネス余長が吸収される。外装部材６６はワイヤハーネス６８の屈曲方向を規制する。
【特許文献１】特開２００３−２５８５０号公報（図２，図４）
【発明の開示】
【発明が解決しようとする課題】
【０００６】
しかしながら、上記従来のハーネス配索構造を備えた給電装置６１にあっては、ワイヤハーネスの屈曲方向を規制するのに構造の複雑で高価なキャタピラ状のハーネス外装部材を使用しているために、給電装置が高コスト化・重量化したり、外装部材の組付に多くの手間を要するという懸念があった。また、ケースがスライドドア６２に横長に配置されるために、他の補機や構造物等のレイアウトが制限されるという懸念があった。また、スライドドア６２の開閉時にスライダ６４から首振り部材６５にかけてワイヤハーネス６８が略Ｖ字状に屈曲するために、ワイヤハーネス６８の屈曲部６８ａに大きな曲げ応力が作用し、ワイヤハーネス６８の耐久性が低下しかねないという懸念があった。
【０００７】
なお、上記した各懸念点は自動車のスライドドア６２に限らず、例えば自動車以外の車両等のスライドドアや加工機械等のスライドドア等といったスライド構造体に上記給電装置を適用した場合にも生じ得るものである。
【０００８】
本発明は、上記した点に鑑み、安価なハーネス外装部材を用いてもスライド構造体の移動時にワイヤハーネスの屈曲方向をスムーズ且つ確実に規定することができ、また、スライド構造体の幅方向や厚さ方向に大きなスペースをとることなく省スペース化・コンパクト化を図ることができ、また、スライド構造体の移動に伴うワイヤハーネスの屈曲耐久性を高めることができるスライド構造体用のハーネス配索構造を提供することを目的とする。
【課題を解決するための手段】
【０００９】
上記目的を達成するために、本発明の請求項１に係るスライド構造体用のハーネス配索構造は、スライド構造体から固定構造体にワイヤハーネスを水平方向揺動自在に配索したスライド構造体用のハーネス配索構造において、前記スライド構造体側に設けた水平なガイドレールにスライダが係合し、該スライダに前記ワイヤハーネスよりも硬質な首振り部材が水平方向首振り自在に設けられ、前記ワイヤハーネスが該スライダから該首振り部材の水平なハーネス挿通孔を経て前記固定構造体側に配索され、該首振り部材又は該スライダにばね部材が設けられ、該首振り部材に設けられた該ばね部材は該スライダの壁部に当接し、該スライダに設けられた該ばね部材は該首振り部材の外側面に当接し、該スライド構造体の全閉時に該ワイヤハーネスが該首振り部材を介して該ばね部材のばね力で該固定構造体に向けて付勢され、該付勢によって該スライド構造体の開き初期時に該ワイヤハーネスに曲げ力が付与されることを特徴とする。
請求項２に係るスライド構造体用のハーネス配索構造は、請求項１記載のスライド構造体用のハーネス配索構造において、前記ばね部材が、鋭角的に開いた一対の板部を中間の屈曲部で連結して構成され、前記屈曲部が前記首振り部材の回動中心側に向けて配置されたことを特徴とする。
【００１０】
上記構成により、スライド構造体の全閉時に弾性部材が固定構造体とは反対方向に圧縮されつつワイヤハーネスを固定構造体側に弾性的に押圧する。ワイヤハーネスはスライド構造体の全閉時には固定構造体との間で保持されているので不動である。スライド構造体を開き始めると同時にスライド構造体が固定構造体から外側に離間し、ワイヤハーネスがスライド構造体と固定構造体との間で自由になり、弾性部材の付勢力（押圧力）でワイヤハーネスがスライド構造体側を支点として固定構造体側に回動しつつスライド構造体側を屈曲中心として固定構造体側に突出するように初期的に屈曲する。これにより、スライド構造体の開き途中においてワイヤハーネスが一定の軌跡で折れ曲がり等なくスムーズに屈曲しつつスライド構造体が全開される。弾性部材はワイヤハーネス側に設けてもよく、スライド構造体側に設けてもよい。スライド構造体側の垂直方向のワイヤハーネス部分は周方向に捩り自在としてもよく、スライド構造体に沿って揺動自在又は屈曲自在としてもよい。
【００１２】
また、首振り部材が弾性部材で押圧付勢され、ワイヤハーネスが首振り部材と一体的に固定構造体に向けて押圧付勢され、スライド構造体の開き初期時に首振り部材の近傍でワイヤハーネスが弾性部材の付勢力で屈曲する。首振り部材の軸部を支点にワイヤハーネスが固定構造体との間で水平方向に揺動する。首振り部材はスライド構造体側に直接設けてもよく、後述のスライダに設けてもよい。
【００１４】
また、スライド構造体の開閉動作に伴ってスライダがガイドレールに沿って水平方向に進退しつつ、首振り部材が水平方向に揺動する。スライド構造体の閉じ時にスライダはガイドレールに沿って閉じ反対方向に移動し、スライド構造体の開き時にスライダはガイドレールに沿って開き反対方向に移動する。スライダからスライド構造体側に導出された垂直方向のワイヤハーネス部分は、周方向に捩り自在であっても、スライド構造体に沿って揺動自在又は屈曲自在であってもよい。ガイドレールをケースに設け、ケース内にスライド構造体側のワイヤハーネス部分を収容してもよい。スライド構造体から固定構造体にかけてワイヤハーネスを水平方向に揺動させてハーネス余長を吸収する構造を採用したことで、ガイドレールの長さが短くて済み、スライダのストロークが短くなって、スライド構造体側のハーネス配索スペースが小さく抑えられる。
【００１５】
請求項３に係るスライド構造体用のハーネス配索構造は、請求項１又は２記載のスライド構造体用のハーネス配索構造において、前記固定構造体側で前記ワイヤハーネスがハーネス固定具で支持され、該ハーネス固定具が前記スライド構造体の閉じ方向に対して斜め外向きに配置されたことを特徴とする。
【００１６】
上記構成により、スライド構造体の開き時にスライド構造体から固定構造体のハーネス固定具にかけてのワイヤハーネス部分が外向きに大きな半径で屈曲し、ワイヤハーネスにかかる曲げ応力が軽減される。
【００１７】
請求項４に係るスライド構造体用のハーネス配索構造は、請求項１〜３の何れかに記載のハーネス配索構造において、前記スライド構造体の全閉時に該スライド構造体側で前記ワイヤハーネスが横長のハーネスガイド部材に沿って水平に支持されることを特徴とする。
【００１８】
上記構成により、スライド構造体の全閉時にスライド構造体から固定構造体にかけてのワイヤハーネス部分がハーネスガイド部に載って完全な水平に支持されることで、ワイヤハーネス部分の垂れ下がりが防止される。
【発明の効果】
【００１９】
請求項１記載の発明によれば、スライド構造体の開き操作時にワイヤハーネスが一定の軌跡でスムーズに屈曲するから、スライド構造体の開き操作性が向上すると共に、ワイヤハーネスの有害な折れ曲がり等が発生せず、ワイヤハーネスの屈曲耐久性が向上し、スライド構造体への常時給電の信頼性が向上する。また、弾性部材の付勢でワイヤハーネスの屈曲方向が規定されるから、従来の高価で複雑なキャタピラ状の外装部材を用いることなく、安価なハーネス保護チューブ等を用いて低コスト化を図ることができる。また、スライド構造体から固定構造体にかけてワイヤハーネスを水平方向に揺動式に配索してハーネス余長を吸収させることで、スライド構造体側のハーネス配索構造が簡素化・コンパクト化され、スライド構造体側の構造物や補機等のレイアウトの自由度が高まる。
【００２０】
また、屈曲自在なワイヤハーネスではなく硬質な首振り部材を弾性部材で押すことで、付勢力がワイヤハーネスに直接的に伝わると共に、弾性部材との接触が位置ずれなく確実に行われ、ワイヤハーネスの初期屈曲が正確に行われる。
【００２１】
請求項３記載の発明によれば、スライド構造体と固定構造体との間でワイヤハーネスを揺動させて余長吸収させることで、ガイドレールすなわちスライダのスライド距離が短縮化され、スライド構造体側が省スペース化されるから、スライド構造体側の構造物や補機等のレイアウトの自由度が高まる。
【００２２】
請求項３記載の発明によれば、スライド構造体の開き時におけるワイヤハーネスの屈曲が大きな半径で行われることで、ワイヤハーネスの屈曲耐久性が向上し、常時給電の信頼性が一層向上する。
【００２３】
請求項４記載の発明によれば、スライド構造体の閉じ時にワイヤハーネスの弛みが防止されることで、ガタ付きによる異音や摩耗が防止され、且つ弛みによる曲がり癖が防止されて、常時給電の信頼性が一層向上する。
【発明を実施するための最良の形態】
【００２４】
図１〜図２は、本発明に係るスライド構造体用のハーネス配索構造とそれを備えた給電装置の一実施形態を示すものである（詳細構造の符号は図２を参照）。
【００２５】
この給電装置２１は、ワイヤハーネス（複数本の電線）２の垂下部３を揺動自在に収容するケース２２と、ケース２２の下部に設けられた水平なガイドレール２３と、ガイドレール２３にスライド自在に係合したスライダ５と、スライダ５に水平方向揺動自在に設けられた首振り部材６とを備え、ワイヤハーネス２がスライダ５から首振り部材６を経て外部に水平に導出され、首振り部材６に、ケース側（本例でスライダ５）に押接する弾性部材３０が設けられたものである。
【００２６】
ケース２２は金属ないし合成樹脂で形成され、ガイドレール２３は金属で形成され、スライダ５と首振り部材６は合成樹脂で形成されることが好ましい。ケース２２の上壁２４のハーネス固定部４にワイヤハーネス２の垂下部３の上端が固定されている。ハーネス固定部４は例えば垂直な突板でもよく、ワイヤハーネス２がテープ巻きやバンドで固定される。ハーネス固定部４から首振り部材６にかけてワイヤハーネス２の垂下部３は複数本の電線として露出した状態で配索され、ばらけないようにテープ巻き等で部分的に結束されている。
【００２７】
ケース２２の垂直なベース壁２７の下部２７ａにガイドレール２３が水平に設けられ、ガイドレール２３の前後両側でケース２２の側壁２５が切欠され、首振り部材６とそこから導出されたハーネス部分１５が前後に大きな角度で揺動可能となっている。図１，図２でケース２２の正面カバーは図示を省略している。なお、明細書で上下前後の方向は車両の上下前後を基準としている。
【００２８】
スライダ５は、上部側に垂直なハーネス挿通孔８を有し、ハーネス挿通孔８の下側に首振り部材６を水平方向揺動自在に支持する空間（水平な溝）９を有している。空間９は車両前後方向に開口し、スライダ５の上下の水平な壁部１０，１１と背側の垂直な壁部１２とで横凹字状に囲まれて構成されている。垂直な壁部１２の一部がガイドレール２３にスライド自在に係合している。垂直なハーネス挿通孔８は中央から車両幅方向（左右方向）に分割可能で、図２で手前側の上壁部１０ａを分離した状態でハーネス挿通孔８にワイヤハーネス２を挿通可能となっている。
【００２９】
首振り部材６は例えばスライダ５のハーネス挿通孔８と同心に中空環状の軸部（図示せず）を有し、軸部はスライダ５の上下の壁部１０，１１の内面の環状の溝部（図示せず）に回動自在に係合している。あるいは、スライダ５の上下の壁部１０，１１の内面にハーネス挿通孔８と同心に中空環状の軸部（図示せず）を突設し、軸部を首振り部材６の上下の壁面の環状の溝部（図示せず）に回動自在に係合させてもよい。
【００３０】
首振り部材６は環状の軸部の内側に同心の垂直なハーネス挿通孔（図示せず）を有し、ハーネス挿通孔はスライダ５のハーネス挿通孔８に同心に連通し、垂直なハーネス挿通孔は首振り部材６の水平なハーネス挿通孔１４に連通して続いている。垂直なハーネス挿通孔は断面円形に形成され、水平なハーネス挿通孔１４は、首振り部材６に続くハーネス外装部材である合成樹脂製のコルゲートチューブ（蛇腹状チューブ）１５に対応して断面縦長の平形ないし長円形状に形成されている。
【００３１】
首振り部材６は上下に分割可能に形成され、分割した状態でハーネス挿通孔にワイヤハーネス２を挿通可能であり、上下の分割首振り部材はボルト又は係止爪と係合凹部等の係止手段で相互に固定される。ケース２２はスライドドア（スライド構造体）のインナパネルに固定され、首振り部材６の先端６ａは車両ボディ（固定構造体）側を向き、車両ボディの前後方向に首振り自在である。
【００３２】
首振り部材６の水平なハーネス挿通孔１４内にはコルゲートチューブ１５の一端部が保持固定されている。コルゲートチューブ１５は周方向の凹溝と凸条（図示せず）とをチューブ長手方向に交互に配列したもので、良好な屈曲性を有する既存のものである。首振り部材６の水平なハーネス挿通孔１４の内周面にリブ（図示せず）が突設され、リブに断面長円形のコルゲートチューブ１５の凹溝が係合固定されている。断面円形のコルゲートチューブ（図示せず）を用いた場合は、リブでコルゲートチューブ１５が周方向回動自在に保持される。コルゲートチューブ内に複数本の絶縁被覆電線１７が挿通されてハーネス部分（符号１５で代用）が構成されている。
【００３３】
首振り部材６の一方の外側面６ｂに弾性部材（ばね部材）３０が設けられている。首振り部材６は上下に分割可能であるから、弾性部材３０は外側面６ｂの下半部又は上半部あるいは下半部と上半部とに分割して固定されることが好ましい。一方の外側面６ｂは図１のスライドドアの開き時に車両ボディ側を向き、図２のスライドドアの閉じ時にスライドドア側を向く面である。
【００３４】
本例の弾性部材３０は略Ｖ字状に形成された金属製ないし合成樹脂製の板ばねであり、一方及び他方の板部３０ａ，３０ｂと、両板部３０ａ，３０ｂを連続させた屈曲部３０ｃとで構成されている。弾性部材３０の一方の板部３０ａが首振り部材６の外側面６ｂにインサート成形等の一体樹脂成形で固定されたり、あるいは首振り部材６の外側面６ｂに突設した断面Ｌ字状の一対のガイド部（図示せず）に一方の板部６ａがスライド係合して係止されたり、あるいは外側面６ｂに一方の板部３０ａが接着や溶着等の手段で固定される。
【００３５】
弾性部材３０を合成樹脂材で形成する場合は、首振り部材６に弾性部材３０を一体樹脂成形することも可能であり、この場合は、一方の板部３０ａは不要で、他方の板部３０ｂのみが首振り部材６の外側面６ｂから斜めに突出していればよい。
【００３６】
弾性部材として板ばね状のもの（３０）に代えてコイルばね（図示せず）等を用いたり、あるいはばね部材に代えて弾性のゴム材やウレタン材やスポンジ等のエラストマ材（図示せず）を用いたりすることも可能である。
【００３７】
図１のスライドドアの開き状態から図２の閉じ状態に移行した際に、首振り部材６が回動して弾性部材３０がスライダ５の垂直な壁部１２の内面１２ａに弾接する。スライダの壁部１２を切欠した場合は、弾性部材３０をケース２２側のガイドレール２３又はガイドレール２３の上側又は下側のケース２２の垂直なベース壁２７ａに弾接させることも可能である。
【００３８】
図３に示す如く、弾性部材３０を首振り部材６ではなくスライダ５の垂直な壁部１２の内面１２ａに設けることも可能である。この場合、弾性部材３０は図１の例の弾性部材３０と同様のものを用い、図１の例の首振り部材６が図２のように回動してスライダ５に近接した時点における弾性部材３０の配置と同様に配置される。すなわち、弾性部材３０の屈曲部３０ｃが首振り部材６の軸部側を向き、一方の板部３０ａが首振り部材６の回動時に一方の外側面６ｂに対向して位置し、他方の板部３０ｂがスライダ５の垂直な壁部１２の内面１２ａに固定されている。
【００３９】
他方の板部３０ｂはインサート成形で垂直な壁部１２に固定してもよく、あるいは壁部１２と一体に弾性部材３０を合成樹脂材で成形することも可能である。一方の板部３０ａは壁部１２の内面１２ａに対して外向きに傾斜して位置している。
【００４０】
スライダ５の壁部１２を略矩形状に切欠した場合は、スライダ５ではなくガイドレール２３やケース２２に弾性部材３０を配置し、弾性部材３０を壁部１２の切欠部（図示せず）に挿通させて首振り部材６の一方の外側面６ｂに弾性させることも可能である。この場合も弾性部材３０の形状は略Ｖ字状に限らず種々の形態とすることが可能である。図３において弾性部材３０の配置以外の構成は図１の実施形態と同様であるので、同様の構成部分には同じ符号を付して詳細な説明を省略する。
【００４１】
図１，図２の実施形態において、首振り部材６から導出されたコルゲートチューブ１５の他端部は車両ボディ側のハーネス固定具１６（図４，図５参照）に首振り部材６におけると同様のリブ（図示せず）で固定され、ワイヤハーネス２がハーネス固定具１６から複数本の電線部分１７として車両ボディ側（電源側）に導出されて車両ボディ側のワイヤハーネス（図示せず）にコネクタ接続される。ハーネス固定具１６はボルト等で車両ボディに不動に固定される。
【００４２】
ワイヤハーネス２は首振り部材６からハーネス固定具１６にかけてコルゲートチューブ１５で覆われて水平に配索される。なお、ワイヤハーネス２はコルゲートチューブ１５を含んだ総称としてもよく、車両ボディ側のハーネス固定具１６を含んでスライド構造体用の給電装置２１と総称してもよい。
【００４３】
図４に図２のスライドドア３１の閉じ直前（開き直後ないし開き初期）の状態を実線で示し、スライドドア３１の全開状態を鎖線で示している。図４以降ではスライダ５の図示と動作説明を省略している。図４〜図８では図１の弾性部材３０を首振り部材６に設けた例で説明しているが、図３の弾性部材３０をスライダ５又はガイドレール２３又はケース２２に設けた場合も作用は同じである。
【００４４】
スライドドア３１の車両前方への閉じ操作でケース２２がスライドドア３１と一体に前方に移動し、それに伴って首振り部材６が上下の軸部（図示せず）を支点に斜め後方に揺動しつつ、ケース上部のハーネス固定部４と首振り部材６との間でワイヤハーネス２の垂下部３が周方向（図２で時計回り）に捩れて、首振り部材６の揺動を吸収し、且つワイヤハーネス２の水平部（コルゲートチューブ部分）１５は首振り部材６と車両ボディ側のハーネス固定具１６との間で後方に引っ張られてほぼ真直に伸びる。
【００４５】
図４においてスライドドア３１の全閉時には略Ｖ字状の弾性部材３０はばね付勢に抗して閉じた（両方の板部３０ａ，３０ｂがほぼ平行に近接した状態）となり、図４の実線の如くスライドドア３１が全閉状態から開き動作に移行して車両ボディ３２から外側に少し離間すると同時に、略Ｖ字状の弾性部材３０が開きつつ（両方の板部３０ａ，３０ｂが略Ｖ字状に開きつつ）付勢力で首振り部材６を車両ボディ３２の内側に向けて矢印Ｂの如く回動させる。車両ボディ３２から外向きにスライドドア３１が離間する動作は車両ボディ側の略Ｓ字状に屈曲した案内レール（図示せず）に沿って行われる。
【００４６】
首振り部材６の回動に伴って水平なハーネス部分（コルゲートチューブ部分）１５が首振り部材６の近傍で車両ボディ内側に向けて屈曲（湾曲）し（屈曲部を符号１５ａで示す）、図４の鎖線で示すスライドドア３１の開き時におけるハーネス部分１５の屈曲（折り返し）動作のはずみがつき、ハーネス部分１５の屈曲動作が一定の軌跡でスムーズ且つ確実に行われる。
【００４７】
すなわちハーネス部分１５の初期的な屈曲（屈曲部１５ａ）は、ドア開き時にハーネス部分１５をスムーズ且つ確実に一定の軌跡で揺動させるための予備の屈曲（本屈曲動作を促すための予備的な屈曲）である。ワイヤハーネス２の外装部材として従来のような高価なキャタピラ状の外装部材ではなく、安価で軽量で構造の簡単なコルゲートチューブを用いた場合でも、この予備屈曲によってハーネス部分１５が一定の軌跡で所定の方向に屈曲する。
【００４８】
図４の鎖線は図１のドア全開状態に対応し、図４の実線のドア開き初期状態からケース２２がスライドドア３１と一体に後方へ移動し、且つスライドドア３１が車両ボディ３２から外側に離間するに伴って、首振り部材６が軸部を支点に矢印Ｂの如く前方に回動しつつ、ケース２２のハーネス固定部４と首振り部材６との間でワイヤハーネス２の垂下部３が周方向（図１で反時計回り）に捩れて、首振り部材６の揺動を吸収し、スライドドア３１と車両ボディ３２との間（渡り部３３）において水平なハーネス部分１５が前向きに湾曲しつつ車両ボディ側のハーネス固定具１６を支点に略Ｕ字ないしＪ字状に屈曲する。本例のハーネス固定具１６は略矩形筒状に形成され、水平なハーネス部分１５を導出させるドア側の先端部分が切欠されている（切欠開口部を符号１６ａで示す）。
【００４９】
図４の実施形態においては、車両ボディ側のハーネス固定具１６を前向きに車両ボディ３２（スライドドア３１）とほぼ平行に配置したが、図５の実施形態のようにハーネス固定具１６の先端の開口部１６ｂの向きを車両ボディに対して斜め前方に向けて配置すれば、図５の鎖線で示すスライドドア３１の全開時におけるハーネス部分１５の屈曲を図４の実施形態よりも小さな揺動角度で且つ大きな屈曲半径で楽に行わせることができ、これによりハーネス部分１５の屈曲耐久性が向上する。
【００５０】
また、ハーネス固定具１６を斜め前方に向けて配置したことで、図５の実線で示すスライドドア３１の全閉時にハーネス部分１５がスライドドア３１に向けて押し付けるように付勢されるから、ハーネス部分１５の車両幅方向の振動が防止される。ハーネス部分１５の外周のコルゲートチューブはある程度の剛性をもっているから、図５の実線のようにハーネス固定具１６側の部分が屈曲したことで（屈曲部を符号１５ｂで示す）、ドア側への押し付け力が働いている。図５のハーネス固定具の配置以外の構成は図４と同じであるので、図４と同じ符号を付して詳細な説明を省略する。
【００５１】
図５の実線のドア全閉時に弾性部材３０はほぼ閉じた（圧縮された）状態で、首振り部材６を車両ボディ側に付勢しているが、首振り部材６とハーネス固定具１６との間でハーネス部分１５が車両ボディ３２とスライドドア３１とに軽く接して保持されているので、首振り部材６が弾性部材３０の付勢力で車両ボディ側に回動することはない。
【００５２】
図５の実線の状態からスライドドア３１を開き始めることで、図６の如く弾性部材３０がその付勢力で首振り部材６を車両ボディ側に向けて回動させ、それに伴ってハーネス部分１５が首振り部材６の近傍で車両ボディ側に向けて屈曲（湾曲）し（屈曲部を符号１５ａで示す）、図７の如くスライドドア３１が車両の案内レール（図示せず）に沿って車両ボディ３２から外側に離間するに伴って、首振り部材６が車両ボディ側にほぼ直交する位置まで回動すると共に、ハーネス部分１５が大きな屈曲半径の略Ｓ字状に屈曲する。
【００５３】
さらに、図８の如くスライドドア３１の開き途中（半開時）においてハーネス部分１５が車両後方に向けて湾曲状にスムーズに折り返されて（折り返し部を符号１５ｃで示す）、図５の鎖線の如くスライドドア３１の全開時にハーネス部分１５が一定の軌跡でスムーズに屈曲しつつハーネス支持具１６を支点に後方に引っ張られる。
【００５４】
このように、図６における弾性部材３０の付勢力で首振り部材６が初期的な回動を与えられることで、スライドドア３１の開き操作時にハーネス部分１５が座屈等の不要な（有害）な変形を起こすことなく小さな力でスムーズに屈曲するから、ハーネス部分１５の屈曲耐久性が向上すると共に、スライドドア３１の開き操作性が向上する。ハーネス支持具１６の斜め前向き配置によってドア全閉時のハーネス部分１５の屈曲部１５ｄの屈曲半径が増加し、それによってもハーネス部分１５の屈曲耐久性が向上することは言うまでもない。
【００５５】
図９は、上記板ばね状の弾性部材３０に代えてブロック状の弾性部材３４を配置した例を示すものである。ブロック状の弾性部材３４は首振り部材６に設けてもよいが、前述の如くスライドドア３１側（例えばケース２２のベース壁２７等）に設けてもよい。他の構成は前例同様であるので、同じ符号を付して詳細な説明を省略する。
【００５６】
スライドドア３１の全閉時にブロック状の弾性部材３４は圧縮されて、首振り部材６とハーネス部分１５はスライドドア３１と平行に位置する。ハーネス支持具１６は図５と同じ斜め前向きの配置としてもよい。スライドドア３１の開き初期時にブロック状の弾性部材３４の付勢力で図９の如く首振り部材６が角度θで車両ボディ３２側に回動し、ハーネス部分１５の屈曲が誘導される（初期屈曲部を符号１５ａで示す）。
【００５７】
なお、ブロック状の弾性部材３４に代えてブロック状の固形部材（角度規制部材）を用いた場合は、付勢力は得られないものの、スライドドア３１の全閉時に首振り部材６をハーネス部分１５と共に矯正的に車両ボディ側に回動させておくことができるので、ハーネス部分１５の屈曲方向を一定に規定することができる。但し、スライドドア３１の全閉時に首振り部材６とハーネス部分１５の屈曲部１５ａが車両ボディ側に突出するだけのスペースが必要となると共に、長時間に渡るドア全閉状態でハーネス部分１５に曲がり癖が付く懸念がある。
【００５８】
図１０〜図１１は、ケース２２から導出されたハーネス部分１５をスライドドア３１の閉じ時に長形（横長）のハーネスガイド部材３５で支持して、ハーネス部分１５の垂れやバタツキを防止した実施形態を示すものである。ガイド部材３５以外の構成は図１の形態と同様であるので、同じ符号を付して詳細な説明を省略する。
【００５９】
ガイド部材３５は細長の垂直な壁部３６と細長の水平な壁部３７とで断面略Ｌ字状に形成され、水平な壁部３７の内側面は垂直壁３６にかけて上向きに傾斜し、その傾斜面３７ａによってスライドドア開き操作時のガイド部材３５からのハーネス部分１５の離脱性とスライドドア閉じ操作時のガイド部材３５へのハーネス部分１５の収容性を高めている。なお、傾斜面３７ａを水平面（図示せず）に代えた場合でも、ハーネス部分１５の垂れ防止とバタツキ防止の効果は何ら問題なく発揮される。
【００６０】
本例でガイド部材３５はケース２２に固定されている。ケース２２に一体樹脂成形することも可能である。また、ケース２２とは別体に形成してスライドドア３１のドアインナパネルに固定したり、ドアインナパネルと一体に形成したりすることも可能である。車両ボディ側のハーネス固定具１６の配置は図５のように斜め前方に向けて配置することが好ましい。
【００６１】
なお、上記各実施形態においては、図２に示すようにケース２２内でハーネス部分３を垂直方向に配置して水平方向に揺動自在としたが、例えばハーネス部分３をケース２２の上壁２４ではなく側壁２５からケース内に導出させ、ケース内で屈曲させつつ水平方向に伸縮させる構造とすることも可能である。
【００６２】
また、図１のケース２２やガイドレール２３を廃除し、スライダ５をスライド不能な固定部材としてスライドドア３１のドアインナパネルに固定し、スライドドア３１の開閉に伴って首振り部材６を水平方向に揺動させつつワイヤハーネス２の垂下部３をドアインナパネル側のハーネス固定部（４）を支点に周方向に捩り自在とすることも可能である。この場合、首振り部材６に設けた弾性部材３０，３４はドアインナパネルに弾接して、首振り部材６を車両ボディ側に初期回動させる（図６の状態）。このようにスライドドア側（ケース側）のハーネス配索構造は必要に応じて適宜設定可能である。
【００６３】
また、ガイドレール２３やスライダ５や首振り部材６を廃除し、ワイヤハーネス２の垂下部３をドアインナパネルに固定し、垂下部３からワイヤハーネス２を９０゜方向に屈曲させつつ（図２で屈曲部を符号１８で示す）車両ボディ側に向けて水平なハーネス部分１５としてを配索し、スライドドア全閉時に屈曲部１８（図２）の近傍でハーネス部分１５を弾性部材３０，３４で車両ボディ側に向けて付勢することも可能である。この場合、弾性部材３０，３４はハーネス部分１５に設けてもよく、ドアインナパネルに設けてもよい。
【００６４】
また、上記各実施形態においては、渡り部３３の保護チューブとしてコルゲートチューブ１５を用いたが、コルゲートチューブ以外にゴム製の蛇腹状チューブ等や、蛇腹形状がコルゲートチューブ１５のような断面矩形波状ではなく断面山型状や波形状等のものを用いることも可能である。また、蛇腹状のチューブ以外の例えば合成樹脂製の網状チューブや、周面の平坦ないし比較的平坦な樹脂チューブや、ウレタンやゴム等の弾性的なチューブ等を用いることも可能である。また、保護チューブを何ら使用することなく、複数本の電線１７をテープ巻き等で結束して水平なハーネス部分（１５）として使用することも可能である。
【００６５】
また、上記各実施形態においては、自動車のスライドドア３１に給電装置２１を搭載した例を示したが、自動車以外の車両のスライドドアや車両以外の加工機械等のスライドドア等といったスライド構造体においても上記各実施形態の給電装置を適用可能である。スライドドア３１をスライド構造体と呼称した場合、車両ボディや加工機械のボディ等は固定構造体と呼称される。
【図面の簡単な説明】
【００６６】
【図１】本発明に係るスライド構造体用のハーネス配索構造とそれを備えた給電装置の一実施形態を示すスライド構造体開き時の斜視図である。
【図２】同じく給電装置を示すスライド構造体閉じ時の斜視図である。
【図３】弾性部材の配置を変えた給電装置の実施形態を示す斜視図である。
【図４】給電装置の作用を示す平面図である。
【図５】ハーネス支持具の配置を変えた給電装置の作用を示す平面図である。
【図６】同じく給電装置の作用を示すドア開き開始時の平面図である。
【図７】同じく給電装置の作用を示すドア離間時の平面図である。
【図８】同じく給電装置の作用を示すドア半開時の平面図である。
【図９】角度規制用の弾性部材の他の形態を用いた給電装置を示す平面図である。
【図１０】ハーネスガイド部を備えた給電装置を示す斜視図である。
【図１１】同じくハーネスガイド部を備えた給電装置を示す縦断面図である。
【図１２】従来のスライド構造体用の給電装置の一形態を示す斜視図である。
【図１３】同じく給電装置の要部を示す斜視図である。
【符号の説明】
【００６７】
２          ワイヤハーネス
５          スライダ
６          首振り部材
１６        ハーネス固定具
２３        ガイドレール
３１        スライドドア（スライド構造体）
３２        車両ボディ（固定構造体）
３０，３４  弾性部材
３５        ハーネスガイド部材
【図１】
0004597845.tif 000002
【図２】
0004597845.tif 000003
【図３】
0004597845.tif 000004
【図４】
0004597845.tif 000005
【図５】
0004597845.tif 000006
【図６】
0004597845.tif 000007
【図７】
0004597845.tif 000008
【図８】
0004597845.tif 000009
【図９】
0004597845.tif 000010
【図１０】
0004597845.tif 000011
【図１１】
0004597845.tif 000012
【図１２】
0004597845.tif 000013
【図１３】
0004597845.tif 000014